(57)【特許請求の範囲】
【請求項１】
箱体上部の開口部を閉鎖するメインフラップを、回転する押圧部材により押圧して折り曲げるフラップ折り曲げ装置において、
前記押圧部材の回転中心となる支点位置を、下降させつつ前記メインフラップの背後からこのフラップの折り曲げられる方向に向けて移動させる移動手段を設け、前記回転する押圧部材は、回転移動の移動端でほぼ水平な状態になることを特徴とするフラップ折り曲げ装置。
【請求項２】
前記押圧部材を回転させる回転手段と、支点位置を移動させる移動手段とを連動させ、同一の駆動源により作動させることを特徴とする請求項１に記載のフラップ折り曲げ装置。
【発明の詳細な説明】
【０００１】
【発明が属する技術分野】
本発明は、箱体の一方の壁面上に設けられたメインフラップ（蓋体）を折り曲げるフラップ折り曲げ装置に関するものである。
【０００２】
【従来の技術】
両側壁の上部にそれぞれ設けられたサイドフラップと、前後の壁面の一方に設けられて上方の開口部を閉鎖するメインフラップ（蓋体）と、このメインフラップの先端に連続して設けられた差し込みフラップとを備え、上方の開口部から内部に物品を収容した後、前記メインフラップを折り込むことにより開口部を閉塞するようにした箱体が従来から広く用いられている。
【０００３】
このような箱体では、上方の開口部から内部に物品を挿入した後、先ず、両側のサイドフラップを内側に折り曲げ、次に、メインフラップをそのサイドフラップ上に重ねて折り曲げるとともに、このメインフラップの先端に連続して設けられている差し込みフラップを、メインフラップに対してさらに折り曲げて、メインフラップが設けられている壁面の向かい側の壁面の内部に挿入することにより前記開口部を閉塞するようになっている。
【０００４】
前記のような箱体のフラップを折り込む装置は従来から知られており、特に、箱体の封緘後に蓋体となるメインフラップを折り曲げる機構として、従来は、固定位置の支点を中心として回転運動をするフラップ折りプレートを備えたものが広く知られている（特開平８−３１０５０３号公報の図２参照）。
【０００５】
【発明が解決しようとする課題】
前記公報に記載された従来のフラップ折り込み装置では、サイズの異なる箱体のフラップ折り込みを行う場合には、その箱体のサイズに応じて、フラップ折りプレートの回転中心となる支点の位置を変更しなければならないという問題があった。
【０００６】
本発明は前記課題を解決するためになされたもので、各種サイズの箱体に対して、位置の変更や調整等をすることなく兼用することができるフラップ折り曲げ装置を提供することを目的とするものである。
【０００７】
【課題を解決するための手段】
本発明に係るフラップ折り曲げ装置は、箱体上部の開口部を閉鎖するメインフラップを、回転する押圧部材により押圧して折り曲げるものであって、特に、前記押圧部材の回転中心となる支点位置を、下降させつつ前記メインフラップの背後からこのフラップの折り曲げられる方向に向けて移動させる移動手段を設け、前記回転する押圧部材は、回転移動の移動端でほぼ水平な状態になることを特徴とするものである。
【０００８】
また、第２の発明に係るフラップ折り曲げ装置は、前記押圧部材を回転させる回転手段と、支点位置を移動させる移動手段とを連動させ、同一の駆動源により作動させるようにしたものである。
【０００９】
【発明の実施の形態】
以下、図面に示す実施の形態により本発明を説明する。図１は本発明の一実施の形態に係るフラップ折り曲げ装置の側面図、図２は、押圧部材（フラップ折りプレート）を回転移動させる駆動部の構成を示す展開図である。このフラップ折り曲げ装置は、図３（ａ）に示す形状の箱体１に設けられたフラップの折り込みを行う。この箱体１は、底面１ａ上に直立する前方壁面１ｂ、後方壁面１ｃおよび両側の側壁１ｄ，１ｅと、両側壁１ｄ，１ｅの上部にそれぞれ連続して設けられたサイドフラップ１ｆ，１ｇと、後方壁面１ｃの上端に一体的に設けられてこの箱体１の上方開口部１ｈを閉鎖するメインフラップ（蓋体）１ｉ、およびこのメインフラップ１ｉの先端に折り目線１ｋを介して設けられ、この箱体１の封緘時に前方壁面１ｂの内側に挿入される差し込みフラップ１ｊを備えている。
【００１０】
前記形状の箱体１（図３（ａ）参照）は、箱搬送コンベヤ２によって間欠的に搬送され、このフラップ折り曲げ装置の上流側で内部に物品が挿入され、その後、差し込みフラップの仮折り装置（図示せず）で差し込みフラップ１ｊとメインフラップ１ｉとの間の折り目線１ｋに折り癖が付けられ（図３（ｂ）参照）、続いて、サイドフラップ折り装置（図示せず）で両側のサイドフラップ１ｆ，１ｇが開口部１ｈ上に折り畳まれた状態にされた後（図３（ｃ）参照）、このフラップ折り曲げ装置に供給される。そして、このフラップ折り曲げ装置において、メインフラップ（蓋体）１ｉが開口部１ｈ上に折り曲げられる（図３（ｄ）参照）とともに、その先端に連続して設けられている差し込みフラップ１ｊが前方壁面１ｂの内部に挿入されることにより、物品が収容された箱体１が封緘される（図３（ｅ）参照）。
【００１１】
次に、前記メインフラップ１ｉを押圧して折り曲げる機構の構成について、図１および図２により説明する。搬送コンベヤ２の側部に設置された支持台４上に、このフラップ折り曲げ装置の本体６が、二本のガイドロッド８，９（後に説明する図５参照）によって昇降可能に支持されている。この本体６の両側フレーム１０，１１間に、水平な第１のロッド１２が回転可能に支持されている。この第１ロッド１２は、前記搬送コンベヤ２の搬送面のほぼ中央の上方に位置している。
【００１２】
前記第１ロッド１２の両端部に、それぞれＬ字状のプレート１４，１６の上部が固定されている。これら一対のＬ字状プレート１４，１６の一方１６（図２の右側）は、前記第１ロッド１２の上方に延長されている部分が、前記本体６の上部に水平に、かつ第１ロッド１２と直交する方向を向けて固定されたシリンダ（フラップ折りプレート回転用シリンダ）１８のピストンロッド１８ａに連結されており、このシリンダ１８の作動により、両Ｌ字状プレート１４，１６が図１に実線で示す位置と二点鎖線で示す位置との間で揺動する。
【００１３】
前記第１ロッド１２の、両端部に固定されているＬ字状プレート１４，１６の内側にそれぞれ隣接して、大径の第１ギア２０，２２が回転自在に嵌合している。また、前記第１ロッド１２に隣接して、この第１ロッド１２と平行な第２ロッド２４が、両Ｌ字状プレート１４，１６間に回転自在に支持されている。この第２ロッド２４の、前記第１ロッド１２に設けられた大径の第１ギア２０，２２と対応する位置に、小径の第２ギア２６，２８が固定されて前記大径の第１ギア２０，２２と噛み合っている。
【００１４】
両Ｌ字状プレート１４，１６のほぼ中間の角部１４ａ，１６ａ付近に、第３のロッド３０が取り付けられている。さらに、Ｌ字状プレート１４，１６の一方１６（図２の右側）の、前記第１ロッド１２および第２ロッド２４が支持されている横方向部１６ｂとほぼ直交している縦方向部１６ｃの先端寄り（図１の下方寄り）に、短い第４のロッド３２が貫通して回転自在に支持されている。
【００１５】
前記第２ロッド２４および短い第４ロッド３２の、一方のＬ字状プレート（図２の右側のＬ字状プレート１６）の外側にそれぞれプーリー３４，３６が嵌合して、ロック手段によって固定され、各ロッド２４，３２と一体的に回転するようになっている。また、第３のロッド３０の前記各プーリー３４，３６の位置と対応する位置に、プーリー３８が回転自在に支持されている。これら第２ロッド２４のプーリー３４、第３ロッド３０のプーリー３８および第４ロッド３２のプーリー３６に、エンドレスベルト４０が掛け回されており、第２ロッド２４が回転すると、プーリー３４の回転に伴ってこのベルト４０が走行することにより、第４ロッド３２が第２ロッド２４と同方向に回転するようになっている。
【００１６】
前記一方のＬ字状プレート１６の、第３ロッド３０と短い第４ロッド３２との間には、取付け軸４２を介してアイドルプーリー４４が取り付けられている。このアイドルプーリー４４の取付け軸４２は、前記Ｌ字状プレート１６に形成された長孔１６ｄ内に嵌合して取付け位置を移動できるようになっており、このプーリー４４を移動させることにより前記エンドレスベルト４０の張力を調整することができる。
【００１７】
前記短い第４ロッド３２には、Ｌ字状プレート１６の内面側に第３のギア４６が固定されている。さらに、両Ｌ字状プレート１４，１６の縦方向部１４ｃ，１６ｃの先端（図１および図２の下端）には、第５のロッド４８が回転自在に支持されている。この第５ロッド４８の、前記短い第４ロッド３２のギア４６と対応する位置に、第４のギア５０が固定されて前記第４ロッド３２のギア４６と噛み合っている。従って、前記エンドレスベルト４０を介して短い第４ロッド３２が回転すると、互いに噛み合っている第４ロッド３２のギア４６と第５ロッド４８のギア５０を介して回転が伝達されて、第５ロッド４８が前記第２，第３および第４ロッド２４，３０，３２の回転と逆方向に回転する。
【００１８】
第５ロッド４８には、一対の取付け部材５２，５４を介してフラップ折りプレート（押圧部材）５６が固定されている。このフラップ折りプレート５６は、一方の端部（図２の下方側端部）５６ａが円弧状に湾曲しており、この湾曲部５６ａ付近が前記取付け部材５２，５４に固定されている。また、フラップ折りプレート５６の他方側の端部（図２の上方側端部）５６ｂがほぼ直角に折り曲げられている。
【００１９】
前述のようにフラップ折りプレート回転用シリンダ１８が作動すると、Ｌ字状プレート１４，１６が第１ロッド１２を中心に図１の矢印Ａ方向に回動する。Ｌ字状プレート１４，１６が回動すると、その回転中心となる第１ロッド１２に回転自在に嵌合している大径の第１ギア２０，２２と噛み合っている第２ロッド２４の小径の第２ギア２６，２８が、大径ギア２０，２２の周囲を回転する。この小径ギア２６，２８の回転により、第２ロッド２４が回転する。さらに、第２ロッド２４にはプーリー３４が固定されており、第２ロッド２４の回転によってこのプーリー３４が回転することにより、エンドレスベルト４０が図１の矢印Ｂ方向に走行する。
【００２０】
ベルト４０の走行により第３ロッド３０のプーリー３８および第４ロッド３２のプーリー３６が、前記第２ロッド２４と同方向（図１の反時計回り方向）に回転する。第４ロッド３２のプーリー３６が回転することにより、第４ロッド３２の他端（Ｌ字状プレート１６の内面側）に固定されている第３ギア４６が回転する。この第３ギア４６は第５ロッド４８の第４ギア５０に噛み合っており、第５ロッド４８が前記各ロッド２４，３０，３２と逆方向、つまり、図１の時計回り方向（矢印Ｃ方向）に回転する。この第５ロッド４８の回転により、前記フラップ折りプレート５６が第５ロッド４８を中心として図１の時計回り方向に回転する。
【００２１】
従って、フラップ折りプレート５６は、回転用シリンダ１８のピストンロッド１８ａが伸張したときには、第５ロッド４８を支点として図１の時計回り方向に回転するとともに、この支点である第５ロッド４８の、前記第１ロッド１２を中心とする矢印Ａ方向の回転運動により、図４に示す軌跡で移動し、最終的には、ほぼ水平状態になって停止する（図１の二点鎖線参照）。また、戻り時に、シリンダ１８のピストンロッド１８ａが収縮したときには、前記軌跡を逆にたどって回転移動する。なお、前述のフラップを折り曲げる機構は、搬送コンベヤ２上を搬送される箱体１に干渉しないように、内部に適宜の空間が形成されている。
【００２２】
前記フラップ折りプレート５６を備えたメインフラップ１ｉを押圧する機構の、搬送コンベヤ２を挟んだ向かい側に、メインフラップ１ｉがフラップ折りプレート５６によって折り曲げられる際に、その先端に連続して設けられている差し込みフラップ１ｊを案内して箱体１の内部に挿入する一対のガイド部材（ガイドプレート）５８，６０が設けられている（図１、図５および図６参照）。
【００２３】
前記フラップ折り曲げ装置本体６の両側フレーム１０，１１間を横断して、上部に第一支点軸６２、下部に第二支点軸６４が支持されている。これら両支点軸６２，６４の両端にそれぞれ回動可能に取り付けたリンク６６，６８および前記各支点軸６２，６４と平行な連結軸７０，７２を介して前記ガイドプレート５８，６０が取り付けられている。上方のリンク６６は支点軸６２が図１の左側、連結軸７０が右側に位置し、下方のリンク６８は逆に支点軸６４が図１の右側、連結軸７２が左側に位置している。
【００２４】
下方のリンク６８の一方（図６の左側）は、前記ガイドプレート６０に連結された連結軸７２側と逆方向に延長されており、その先端部に、前記本体６に垂直に取り付けたガイドプレート昇降用のシリンダ７４のピストンロッド７４ａが連結されている。このシリンダ７４の非作動時、つまりピストンロッド７４ａが収縮した状態のときには、下方のリンク６８の連結軸７２側が支点軸６４よりも下方に位置し、上方のリンク６６も同様に連結軸７０側が支点軸６２よりも下方に位置している（図１に示す状態）。
【００２５】
そして、前記シリンダ７４が作動してピストンロッド７４ａが伸張すると、上下のリンク６６，６８の連結軸７０，７２側が、支点軸６２，６４に対して、前記非作動時に下方を向いていた角度とほぼ同角度だけ上方に移動するようになっている。従って、図１に示す状態から昇降用シリンダ７４が作動すると、その途中で下方のリンク６８がほぼ水平状態になったときに、ガイドプレート５８，６０の下部が上昇しつつ図１の左方へ振られ、同時に上方のリンク６６もほぼ水平状態になるので、ガイドプレート５８，６０の上部が上昇しつつ図１の右方に振られる。その後、さらにシリンダ７４のピストンロッド７４ａが伸張して、各リンク６６，６８の連結軸７０，７２側が支点軸６２，６４よりも上方へ移動すると、ガイドプレート５８，６０の下部が上昇しつつ、再び図１の右側に戻るとともに、上部も図１の左側に戻り、図１と同一の姿勢のまま上方へ移動した状態になる。
【００２６】
ガイドプレート５８，６０が上昇した位置から下降する場合には、シリンダ７４の作動によりピストンロッド７４ａを収縮させると、ガイドプレート５８，６０の下端部は、下降しながら、一度図１の左側（コンベヤ２上にある箱体１の内部側）に振られた後右側に移動して図１に示す位置に戻り、また、ガイドプレート５８，６０の上部は、逆に、一度図１の右側に振られた後図１に示す位置に戻る。
【００２７】
前記両側のガイドプレート５８，６０には、搬送コンベヤ２側を向いた面に円弧状のガイド面５８ａ，６０ａが形成されている。このガイド面の円弧は、この装置でメインフラップ１ｉが折り曲げられる最も大きい箱体（図１および図４に実線で示す箱体）１（１Ａ）のメインフラップ１ｉの先端が回転する軌跡の円弧（図１中に符号Ｄで示す）よりも大きい半径を有している。前記搬送コンベヤ２は、箱体１の前方壁面１ｂを基準（図１および図４に符号Ｘで示す面）として箱体１を搬送するようになっており、ガイドプレート５８，６０は、下降した状態（図１に示す位置）のときに、前記円弧状ガイド面５８ａ，６０ａの下端がこの基準面Ｘ上に位置するように配置されている。さらに、前記円弧状ガイド面５８ａ，６０ａの下端に、導入片（薄い小プレート）５８ｂ，６０ｂが取り付けられている。
【００２８】
前記一対のガイドプレート５８，６０の中間の、ガイドプレート５８，６０の下端部よりもやや下方には、箱体１の前方壁面１ｂを吸引する吸盤７６が設けられている（図１および図５参照）。この吸盤７６は、前記本体６の下部に、搬送コンベヤ２方向を向けて水平に固定された吸盤進退用シリンダ７８のピストンロッド７８ａに取付けられ、このシリンダ７８の作動により搬送コンベヤ２方向に向かって進退動する。この吸盤７６は、後退時には前記基準面Ｘからコンベヤ２の外方側に離れ、前進時には前記基準面Ｘに位置している箱体１の前方壁面１ｂに当接して吸着できるようになっている。
【００２９】
なお、前記両ガイドプレート５８，６０の一方５８（図５の上方）は、前記上下の連結軸７０，７２に水平方向に移動可能に支持されている。そして、このガイドプレート５８と前記吸盤７６は、従来周知のラック＆ピニオン機構８０により前記支点軸６２，６４に沿って移動できるようになっており、その説明は省略するが、ガイドプレート５８が移動すると、その移動量の二分の一だけ吸盤７６が移動する。
【００３０】
前記フラップ折り曲げ装置本体６は、前述のように、その後方部分（図１および図５の右側）で二本の直立したガイドロッド８，９に昇降可能に支持されている。さらに、本体６上部のこれら両ガイドロッド８，９の中間に、手回しハンドル８２によって回転される水平軸８４に固定されたベベルギア８６と、このベベルギア８６に噛み合うベベルギア８８を有する縦軸９０とが設けられており、この縦軸９０を回転させることにより、本体６を昇降させることができる。
【００３１】
従って、このフラップ折り曲げ装置によってメインフラップ１ｉおよび差し込みフラップ１ｊが折り込まれる箱体１のサイズが変更されたときには、前記ハンドル８２の操作によって、フラップ折りプレート５６を動作させる各機構、ガイドプレート５８，６０および吸盤７６等を一体的に昇降させることができる。この昇降操作により、箱体１の高さに応じて、ガイドプレート５８，６０の下端が、箱体１の開口部１ｈの高さと一致するように調整する。なお、前記ハンドル８２により手動で操作する構成に変えて、モータを取り付けるようにしても良い。
【００３２】
以上の構成に係るフラップ折り曲げ装置の作動について説明する。前述のように、上流側で内部に物品が収容された箱体１は、メインフラップ（蓋体）１ｉの先端に連続して設けられた差し込みフラップ１ｊが、仮折り装置において折り目線１ｋに折り癖が付けられ、その後、両サイドフラップ１ｆ，１ｇが内部側に向けて折り込まれた後、搬送コンベヤ２によってこのフラップ折り曲げ装置に搬送される。搬送コンベヤ２は間欠的に運転されており、フラップ折り曲げ装置の位置で停止される。
【００３３】
この時点では、フラップ折りプレート回転用のシリンダ１８は、ピストンロッド１８ａが収縮してＬ字状プレート１４，１６を図１に実線で示す位置に保持することにより、フラップ折りプレート５６を上昇させておく。また、ガイドプレート５８，６０が昇降用シリンダ７４によって上昇されるとともに、吸盤７６は進退動用シリンダ７８によって後退した位置にあり、搬入されてくる箱体１に干渉しないようになっている。
【００３４】
箱体１を搬送してきたコンベヤ２が停止すると、先ず、吸盤進退用シリンダ７８によって吸盤７６を前進させるとともに、吸盤７６にバキュームを作用させて、箱体の前方の壁面１ｂを吸着した後、この吸盤７６を後退させることにより箱体１の前方壁面１ｂを前方（図１の右方）に引く。次に、ガイドプレート昇降用シリンダ７４の伸張していたピストンロッド７４ａを収縮させる。すると、このピストンロッド７４ａに連結されているリンク６８が支点軸６４を中心にして揺動し、ガイドプレート５８，６０を下降させる。ガイドプレート５８，６０が下降する際には、その下端部が上方から下降するとともに、一度箱体１の内方側へ振られた後、箱体１の前方壁面１ｂの内面に向かって斜め下方へ移動する。下降した時点では、図１に示すように、ガイドプレート５８，６０の下端に取り付けられている薄い小プレート５８ｂ，６０ｂが箱体１の前方壁面１ｂの内側に当接してこの壁面１ｂを押さえる。
【００３５】
ガイドプレート５８，６０の下端に取り付けられた小プレート５８ｂ，６０ｂを箱体１の内面に挿入するために、ガイドプレート５８，６０を上方から垂直に下降させると、その小プレート５８ｂ，６０ｂの下端が箱体１の前方壁面１ｂの上端部に干渉してしまうおそれがあるが、このようにガイドプレート５８，６０を箱体１の内部側から外側へ向けて移動しつつ下降させるようにしたので、箱体１に干渉することなく内面に挿入することができる。
【００３６】
前述のように両ガイドプレート５８，６０の下端に取り付けた小プレート５８ｂ，６０ｂを箱体１内に挿入し、前方壁面１ｂの内面に当接させた後、フラップ折りプレート回転用シリンダ１８を作動させる。このシリンダ１８のピストンロッド１８ａが伸張すると、両Ｌ字状プレート１４，１６は、第１ロッド１２を中心にして図１の矢印Ａ方向に回転を始める。Ｌ字状プレート１４，１６が回転すると、第２ロッド２４に固定されている小ギア２６，２８が第１ロッド１２に支持されている大ギア２０，２２の周囲を回転するので、第２ロッド２４は、前記矢印Ａ方向に移動しつつ回転（自転）する。
【００３７】
第２ロッド２４の回転により、このロッド２４に固定されているプーリー３４が回転し、エンドレスベルト４０を図１の矢印Ｂ方向に走行させる。ベルト４０が走行すると、第２ロッド２４の回転がベルト４０を介して伝達されて、第３ロッド３０のプーリー３８および第４ロッド３２のプーリー３６が同方向（図１の反時計回り方向）に回転する。ベルト４０を介して回転が伝達されて第４ロッド３２が回転すると、第４ロッド３２に固定されている第３ギア４６と噛み合っている第５ロッド４８の第４ギア５０が、第４ロッド３２と逆方向（図１の時計回り方向）に回転し、第５ロッド４８を図１の矢印Ｃ方向に回転させる。この第５ロッド４８には、一対の取付け部材５２，５４を介してフラップ折りプレート５６が取り付けられており、第５ロッド４８と同方向に回転する。
【００３８】
このように、フラップ折りプレート５６は、第５ロッド４８を中心にして矢印Ｃ方向に回転するとともに、この回転中心である第５ロッド４８が前記第１ロッド１２を中心にして矢印Ａ方向に回転移動するので、図４に示す軌跡を描いて移動する。
【００３９】
ここでは、大きい箱体１Ａ（図１および図４に実線で示す）のメインフラップ１ｉを折り曲げる場合について説明する。フラップ折りプレート５６は、非作動時には図４に符号５６Ａで示す位置、すなわち、メインフラップ１ｉの背後にあり、この位置から移動を開始すると、先ず、下方を向いている湾曲部５６ａが箱体１のメインフラップ１ｉの下部側に当接してこのフラップ１ｉを押圧する。このようにメインフラップ１ｉの折り目線（後方壁面１ｃとの境界）１ｐの近くを押圧するので、この折り目線１ｐに沿って正確に折り曲げることができる。しかも、フラップ折りプレート５６は、回転するだけでなく支点（第５ロッド４８）が移動しているので、定位置に設けられた支点を中心に回転する場合よりもフラップ１ｉに作用する力の方向が水平に近くなるので、折り始めの直立した状態から、折り目線１ｐに沿って確実に、かつ容易に折り曲げることができる。
【００４０】
さらに、フラップ折りプレート５６が箱体１の内部側に向かって次第に移動しつつ回転し（図４の符号５６Ｂ〜５６Ｈ参照）、メインフラップ１ｉを徐々に折り込んでいく。この時、メインフラップ１ｉの先端に設けられて予め折り目線１ｋに沿って折り癖が付けられている差し込みフラップ１ｊは、途中から、前記ガイドプレート５８，６０のガイド面５８ａ，６０ａ内に入り、回転移動に伴って徐々にメインフラップ１ｉに対してほぼ直角の状態まで折り曲げられる。
【００４１】
そして、フラップ折りプレート５６は、その移動端ではほぼ水平な状態（図１に二点差線で示す状態および図４の５６Ｉ参照）になるので、閉鎖プレート１ｉによって箱体の開口部１ｈを完全に閉塞する。
【００４２】
また、メインフラップ１ｉが水平な状態まで折り曲げられる過程で、前述のように、このメインフラップ１ｉに対して徐々に直角の状態に折り曲げられている差し込みフラップ１ｊが、ガイドプレート５８，６０のガイド面５８ａ，６０ａに沿って移動した後、さらに、その下端の薄い小プレート５８ｂ，６０ｂに案内されて箱体１内に挿入される。この時、箱体１の前方壁面１ｂは、中央部が吸盤７６により外側へ引かれており、また、両端部寄りが小プレート５８ｂ，６０ｂにより外側へ向けて押さえられているので、差し込みフラップ１ｊは、スムーズに箱体１内に挿入される。特に、吸盤７６で前方壁面１ｂの中央部を吸着して引き出している状態では、前方壁面１ｂの両端部が逆に箱体１の内部側に凹んだ状態になりやすいので、小プレート５８ｂ，６０ｂによって押さえることにより確実に差し込みフラップ１ｊを挿入することができる。
【００４３】
その後、昇降用シリンダ７４によりガイドプレート５８，６０を上昇させ、吸盤７６のバキュームを解放して箱体１の前方壁面１ｂを離し、さらに、シリンダ１８の作動によりＬ字状プレート１４，１６を引き戻すことにより、前記フラップ折りプレート５６を図１に実線で示す状態に戻して、このフラップ折り曲げ装置による箱体１のフラップ折り込み工程を終了する。
【００４４】
また、このフラップ折り曲げ装置によってメインフラップ１ｉが折り込まれる箱体１のサイズが小さい場合には（図１および図４に二点差線で示す箱体１（１Ｂ）参照）、フラップ折りプレート５６が支点（第５ロッド４８）を中心に回転するとともに、この支点４８の移動により搬送コンベヤ２の外側から箱体１方向に移動してくる初期には、箱体１に当接しないが、その後、メインフラップ１ｉの上部に当たって折り曲げ始める。この例では、メインフラップ１ｉの折り曲げを開始した時点では、フラップ折りプレート５６がすでに傾斜しているが、支点４８がメインフラップ１ｉの背面側から箱体１の内部側に向けて移動しているので、横方向の力が作用し、確実に折り曲げることができる。
【００４５】
なお、この実施の形態では、小さい箱体１（１Ｂ）が大きい箱体１（１Ａ）と同一の高さを有する場合について説明したが、箱体１の高さが違う場合には、前記ハンドル８２の操作により本体６を昇降させることにより、ガイドプレート５８，６０の下端部を箱体１の開口部１ｈの高さに一致させる。また、箱体１の幅については説明をしていないが、一対のガイドプレート５８，６０が箱体１の内面両端部寄りに位置するように、前記ラック＆ピニオン機構８０によって調整する。このように調整することにより、吸盤７６は自動的に両ガイドプレート５８，６０の中間に位置する。
【００４６】
なお、前記フラップ折りプレート５６の形状および移動軌跡は、図示のものに限定されるものではなく、フラップ折りプレート５６が支点（第５ロッド）４８を中心に回転するとともに、この支点４８をメインフラップ１ｉの背面側から箱体１の内部側に向けて移動するものであればよい。また、前記実施の形態では、差し込みフラップ１ｊを内部に挿入して封緘する構成の箱体１を用いたが、このような箱体１に限るものではなく、例えば、図７に示すように、メインフラップ１ｉの先端に設けたフラップ１ｊを箱体１の前方壁面１ｂに接着して封緘する構成の箱体１にも適用可能である。
【００４７】
【発明の効果】
以上説明したように本発明のフラップ折り曲げ装置は、支点を中心にして回転する押圧部材の、支点位置を、下降させつつメインフラップの背後からこのフラップの折り曲げられる方向に向けて移動させる移動手段を設け、前記回転する押圧部材は、回転移動の移動端でほぼ水平な状態になるようにしたことにより、各種サイズの箱体に兼用することができる。
【図面の簡単な説明】
【図１】本発明の一実施の形態に係るフラップ折り曲げ装置の全体の構成を示す側面図である。
【図２】前記フラップ折り曲げ装置に設けられた押圧部材の駆動部を説明する展開図である。
【図３】前記フラップ折り曲げ装置によりメインフラップが折り曲げられる箱体の形状、および各フラップの折り曲げ工程を順次示す斜視図である。
【図４】押圧部材（フラップ折りプレート）の移動軌跡を示す図である。
【図５】ガイドプレートおよび吸盤を示す平面図である。
【図６】図１のＩＶ−ＩＶ線に沿う断面図である。
【図７】この折り曲げ装置によってフラップが折り曲げられる箱体の他の例を示す斜視図である。
【符号の説明】
１    箱体
１ｈ  箱体の開口部
１ｉ  フラップ（メインフラップ）
４８    支点（第５ロッド）
５６    押圧部材（フラップ折りプレート）
【図１】
0004534296.tif 000002
【図２】
0004534296.tif 000003
【図３】
0004534296.tif 000004
【図４】
0004534296.tif 000005
【図５】
0004534296.tif 000006
【図６】
0004534296.tif 000007
【図７】
0004534296.tif 000008